(57)【要約】      （修正有）【課題】耐久性と切れ味を向上させた草刈機用刃を提供する。【解決手段】中間部位Ｍが略一定の基本幅寸法Ｗ０を有する平行帯板部２から成ると共に、先端に向かって幅寸法Ｗ１が次第に増加する拡幅帯板部３が平行帯板部２の各端部に連設され、拡幅帯板部３，３の回転方向に向かって前端６と後端７に鋭利な刃先８，８を形成している。【選択図】図１
0003166670.tif 000002
【実用新案登録請求の範囲】
【請求項１】
中間部位（Ｍ）が略一定の基本幅寸法（Ｗ０）を有する平行帯板部（２）から成ると共に、先端に向かって幅寸法（Ｗ１）が次第に増加する拡幅帯板部（３）が上記平行帯板部（２）の各端部に連設され、該拡幅帯板部（３）（３）の前端（６）と後端（７）に鋭利な刃先（８）（８）を形成したことを特徴とする草刈機用刃。
【請求項２】
上記拡幅帯板部（３）に形成された上記刃先（８）（８）相互の成す角度をβとすると、１０°≦β≦３０°に設定した請求項１記載の草刈機用刃。
【考案の詳細な説明】
【技術分野】
【０００１】
本考案は、草刈機用刃に関する。
【背景技術】
【０００２】
従来、回転刃を有する自走式の草刈機が広く用いられている（特許文献１参照）。
特許文献１記載の草刈機には、図５に示すように、中間部位の平行帯板４１の両端各々に平行な刃先４８，４８を有する先端刀身部４２，４２を連設したストレートタイプの回転刃４０が使用されていた。
【先行技術文献】
【特許文献】
【０００３】
【特許文献１】特開平８−３３６３２２号公報
【考案の概要】
【考案が解決しようとする課題】
【０００４】
しかし、従来の回転刃４０は、図６に示すように、草刈作業に使用すると、草木を伐採する刃先４８が摩耗して先端刀身部４２の角部がアール状となり、かつ、刃先４８の横断面形状が丸くなってしまって、切れ味が鈍くなり、草木を伐採することができなくなっていた。従来は、上述の切れ味が鈍くなるまでの使用時間が短いという欠点があり、また、切れ味が悪くなった回転刃４０を草刈機から取外して、新しいものに交換する作業は、とても面倒で、しかも、交換頻度が高くなるとコストが嵩むという問題があった。
【０００５】
そこで、本考案は、切れ味と耐久性を向上させた草刈機用刃を提供することを目的とする。
【課題を解決するための手段】
【０００６】
本考案に係る草刈機用刃は、中間部位が略一定の基本幅寸法を有する平行帯板部から成ると共に、先端に向かって幅寸法が次第に増加する拡幅帯板部が平行帯板部の各端部に連設され、拡幅帯板部の前端と後端に鋭利な刃先を形成したものである。
【０００７】
また、拡幅帯板部に形成された刃先相互の成す角度をβとすると、１０°≦β≦３０°に設定したものである。
【考案の効果】
【０００８】
本考案の草刈機用刃によれば、草刈作業への使用によって刃先が摩耗しても先端が丸くなりにくく、所定の幅以上を維持できるため切れ味が劣化しない。また、先端の幅を広くした分、拡幅帯板部の質量が増加し、刃先の回転モーメントが従来よりも大きくなって、（遠心力の働きにより）草や細い木を刈る際に、回転速度が減少することなく、確実に刈ることができ、作業効率が上がり、燃費を向上できる。
【図面の簡単な説明】
【０００９】
【図１】本考案の草刈機用刃の実施の一形態を示した平面図である。
【図２】草刈機用刃を示した斜視図である。
【図３】草刈機用刃を示した正面図である。
【図４】本考案の草刈機用刃を一定時間使用した後の状態を示した平面図である。
【図５】従来の草刈機用回転刃を示した平面図である。
【図６】従来の草刈機用回転刃を一定時間使用した後の状態を示した平面図である。
【図７】本考案と従来例とを比較説明するための比較図である。
【考案を実施するための形態】
【００１０】
以下、実施の形態を示す図面に基づき本考案を詳説する。
図１〜図３は、本考案に係る草刈機用刃の実施の一形態を示したものであり、刃本体１は、中間部位Ｍが略一定の基本幅寸法Ｗ０を有する平行帯板部２から成ると共に、先端に向かって幅寸法Ｗ１が次第に増加する拡幅帯板部３が平行帯板部２の各端部に連設されている。拡幅帯板部３，３の前端６と後端７には、鋭利な刃先８，８を形成している。
刃本体１は、金属製で、全長が２００ｍｍ〜５００ｍｍ、平均厚さが２ｍｍ〜５ｍｍに設定され、平行帯板部２の基本幅寸法Ｗ０が３０ｍｍ〜５０ｍｍに設定されている。刃本体１は、その中間部位Ｍ（平行帯板部２）に、刃本体１全体の重心点Ｇ０を中心とする貫孔部４が貫設されており、貫孔部４に軸を通して自走式の草刈機（図示省略）に取付けられ、重心点Ｇ０を同一線上に有する回転軸心Ｌ廻りに回転駆動されて草木を伐採する目的で使用される。刃本体１は、１台の草刈機に、１枚だけ取付けられて使用されることもあれば、複数枚取付けられて複数の軸心上で回転駆動されるものとしても良い。また、刃本体１は、複数枚を同一軸心上に重ね合わせて放射状に固着して使用するも好ましい。また、刃本体１は、貫孔部４近傍に、固定用孔部９，９を有し、固定用孔部９，９にボルトを挿通して草刈機に固着されている。
また、図３に示すように、平行帯板部２は、貫孔部４及び固定用孔部９，９を有する平坦な取付部２Ａと、取付部２Ａから各端部にかけて下降する傾斜部２Ｂ，２Ｂとを、有している。言い換えると、刃本体１に於て、先端側の拡幅帯板部３，３の位置よりも平行帯板部２の取付部２Ａが一段高い位置に配設されている。この構成により、刃本体１を草刈機に取付けて回転させる際、拡幅帯板部３，３の刃先８，８が地面に近い位置で草木を根元から伐採することが可能となる。
【００１１】
刃本体１は、拡幅帯板部３に形成された刃先８，８相互の成す（平面視の）角度をβとすると、１０°≦β≦３０°となるように設定している。拡幅帯板部３，３は、平行帯板部２の両端各々に連設され、先端にゆくに従って幅寸法Ｗ１が次第に増加する、いわゆる扇形状に形成されている。拡幅帯板部３は、先端角部５が直角よりも鋭い鋭角を成すように形成している。
拡幅帯板部３，３には、草木を切断可能な刃先８，８が、前端６と後端７に両刃状に形成されている。この構成により、回転方向が右回転と左回転の駆動軸を２本有する草刈機に使用する際に、左右の刃本体１，１を交互に入れ替えて使用することが可能である。
【００１２】
上述した本考案の草刈機用刃の使用方法（作用）について説明する。
まず、草刈機に本考案の草刈機用刃（刃本体１）を取付けて回転駆動させ、草木が茂った路面を走行させる。刃本体１は、刃先８を草木に接触させて根元近くで切断する。この際、刃本体１は、拡幅帯板部３，３の幅寸法Ｗ１が先端に向かって増加している分、先端側に遠心力が大きく働き、刃先８が草木に接触した場合であっても、その回転速度が減少することなく、力強く草木を刈り取る。
【００１３】
図４と図７（Ａ）に示すように、刃本体１は、一定使用時間草木を刈ると、前端６の刃先８が摩耗し、拡幅帯板部３が、図中２点鎖線で示す使用前状態と比較して、摩滅面積Ｓ０分だけ摩滅し、その幅寸法Ｗ１が減少する。他方、従来例の回転刃４０では、図６と図７（Ｂ）に示すように、図中２点鎖線で示す使用前状態から摩滅面積Ｓ０分だけ摩滅して、その幅寸法Ｗ２が減少する。
図７（Ａ）に於て、長手方向軸心Ｌ１と平行な平行帯板部２の前縁延長線Ｌ３を０°とすれば、上記摩滅が始まっても、十分な使用時間に渡って、摩滅後の前端６Ａは、プラスの傾斜角度を保つ（但し、回転方向Ｒをプラスとする）。即ち、上記十分な使用時間に渡って、図５に示した従来例の回転刃４０の使用前状態の刃先４８よりも、プラスの傾斜角度にあり、その分、図６に示すような先細り形状になるまでの使用時間が延びる。
さらに、詳しく追加説明すれば、図７（Ａ）と図７（Ｂ）とを比較すれば分かるように、同一の（面積Ｓ０にて示す）摩滅が発生した場合、最先端から所定の小寸法Ｅに於て、長手方向軸心Ｌ１と平行な直線Ｌ１´に対する前端６Ａ又は前縁４６が成すマイナス角度の絶対値は、本考案の方が、従来例よりも、小さい。つまり、｜θ１｜＜｜θ２｜となる。これによって、切れ味が保たれる使用時間が、本考案では十分に長くなることが分る。
このように、本考案の草刈機用刃（刃本体１）は、図４と図７（Ａ）に示す一定時間使用した後の状態であっても、刃先８を大きく後退させることなく保持し、確実に草木を切断可能な切れ味を有している。つまり、本考案の草刈機用刃は、従来のストレートタイプの回転刃４０（図５、図６及び図７（Ｂ）参照）と比較して、長時間の使用に耐え得る耐久性を有する。
【００１４】
なお、本考案の草刈機用刃は、上述した実施の形態に限定されるものではなく、要旨を変更しない範囲での設計変更が可能であって、例えば、刃本体１の一部に切欠部を形成することや、整流翼を突設するも良い。また、図示省略するが、拡幅帯板部３は、凹状に弯曲する刃先８，８を有するように、例えるならば、銀杏の葉のような形に、形成するも好ましい。また、刃先８を凹凸波形に形成するも良い。なお、刃本体１は、固定用孔部を省略し、貫孔部４に挿通した軸にナットを螺着して、草刈機に固着するも望ましい。
【００１５】
以上のように、本考案に係る草刈機用刃は、中間部位Ｍが略一定の基本幅寸法Ｗ０を有する平行帯板部２から成ると共に、先端に向かって幅寸法Ｗ１が次第に増加する拡幅帯板部３，３が平行帯板部２の各端部に連設され、拡幅帯板部３，３の前端６と後端７に鋭利な刃先８，８を形成したので、草刈作業への使用によって刃先８，８が摩耗しても先端が丸くなりにくく、かつ、前記所定の幅以上を維持できるため切れ味が劣化しない。また、先端の幅を広くした分、遠心力の働きにより草を刈る回転慣性モーメントがアップし、作業効率が上がり、燃費を向上できる。
【００１６】
また、拡幅帯板部３に形成された刃先８，８相互の成す角度をβとすると、１０°≦β≦３０°に設定したので、摩滅後の前端６Ａが成すマイナス角度θ１を小さめに保持でき、耐用使用時間を従来品と比較して延長することができる。
【符号の説明】
【００１７】
２  平行帯板部
３  拡幅帯板部
６  前端
７  後端
８  刃先
Ｍ  中間部位
Ｗ０  基本幅寸法
Ｗ１  幅寸法
β  角度
【図１】
0003166670.tif 000003
【図２】
0003166670.tif 000004
【図３】
0003166670.tif 000005
【図４】
0003166670.tif 000006
【図５】
0003166670.tif 000007
【図６】
0003166670.tif 000008
【図７】
0003166670.tif 000009
【手続補正書】
【提出日】平成23年1月7日(2011.1.7)
【手続補正１】
【補正対象書類名】実用新案登録請求の範囲
【補正対象項目名】全文
【補正方法】変更
【補正の内容】
【実用新案登録請求の範囲】
【請求項１】
中間部位（Ｍ）が略一定の基本幅寸法（Ｗ０）を有する平行帯板部（２）から成ると共に、先端に向かって幅寸法（Ｗ１）が次第に増加する拡幅帯板部（３）が上記平行帯板部（２）の各端部に連設され、該拡幅帯板部（３）（３）の回転方向（Ｒ）に向かって前端（６）と後端（７）に鋭利な刃先（８）（８）を形成したことを特徴とする草刈機用刃。
【請求項２】
上記拡幅帯板部（３）に形成された上記刃先（８）（８）相互の成す角度をβとすると、１０°≦β≦３０°に設定した請求項１記載の草刈機用刃。